【手続補正書】
【提出日】平成29年3月28日(2017.3.28)
【手続補正１】
【補正対象書類名】特許請求の範囲
【補正対象項目名】全文
【補正方法】変更
【補正の内容】
【特許請求の範囲】
【請求項１】
ワイヤレス通信システムでのマルチメディアブロードキャストサービスをサポートする方法であって、
ブロードキャストデータおよびユニキャストデータを含むデータトラフィックを搬送できるキャリアを生成することと、ここにおいて前記キャリアは、既存のキャリアと後方互換性のないもので、共通基準信号がユニキャストデータを含む１つまたは複数のサブフレーム内に含まれないキャリアタイプを備える、
前記キャリアにおける複数のサブフレームのうちの少なくとも１つのサブフレームにおいて前記ブロードキャストデータを搬送することと、
前記少なくとも１つのサブフレームに含まれる前記ユニキャストデータに少なくとも関する制御情報を前記キャリアにおいて提供することと、
前記キャリアを送信すること
を備える方法。
【請求項２】
前記キャリアを生成することは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むことをさらに備え、各ＭＢＳＦＮサブフレームは、マルチメディアブロードキャストマルチキャストサービス(ＭＢＭＳ)リソースまたは非ＭＢＭＳリソースの両方ではない少なくとも１つを備える、請求項１に記載の方法。
【請求項３】
制御情報を提供することは、クロスサブフレーム、マルチサブフレーム、またはクロスキャリアアップリンク(ＵＬ)スケジューリング情報を提供することをさらに備える、請求項２に記載の方法。
【請求項４】
マルチメディアブロードキャストマルチキャストサービス(ＭＢＭＳ)のための制御チャネルを介して、マルチキャスト制御チャネル変更通知メッセージを送信することをさらに備える、請求項１に記載の方法。
【請求項５】
前記キャリアを生成することは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むことをさらに備え、各ＭＢＳＦＮサブフレームは、前記ＭＢＳＦＮサブフレームの周波数ドメインにわたってマルチメディアブロードキャストマルチキャストサービス(ＭＢＭＳ)リソースと非ＭＢＭＳリソースとの両方を備え、制御情報を提供することは、前記制御情報を前記非ＭＢＭＳリソース内に配置することをさらに備える、請求項１に記載の方法。
【請求項６】
前記非ＭＢＭＳリソースを各々有する前記複数のＭＢＳＦＮサブフレームを含む前記キャリアを生成することは、各該当のＭＢＳＦＮサブフレーム内の前記非ＭＢＭＳリソースをローカライズすることか、各該当のＭＢＳＦＮサブフレーム内の前記非ＭＢＭＳリソースを分散することか、または両方の組合せをさらに備える、請求項５に記載の方法。
【請求項７】
前記非ＭＢＭＳリソースおよび前記ＭＢＭＳリソースを各々有する前記複数のＭＢＳＦＮサブフレームを含む前記キャリアを生成することは、前記非ＭＢＭＳリソースと前記ＭＢＭＳリソースとの間にガードバンドを含むことをさらに備える、請求項５に記載の方法。
【請求項８】
前記キャリアを生成することは、物理マルチキャストチャネル(ＰＭＣＨ)において前記ブロードキャストデータを提供することをさらに備え、制御情報を提供することは、ＰＭＣＨ帯域幅またはＰＭＣＨロケーションのうちの少なくとも１つを指示することをさらに備える、請求項５に記載の方法。
【請求項９】
前記ＰＭＣＨにおいて前記ブロードキャストデータを提供することは、固定されたロケーション、準静的なロケーション、または動的なロケーションのうちの１つにおいて、前記ＰＭＣＨを各該当のＭＢＳＦＮサブフレーム内に配置することをさらに備える、請求項８に記載の方法。
【請求項１０】
各ＰＭＣＨの前記準静的なロケーションおよび前記動的なロケーションをサブフレームごとにバックホールシグナリングを介して調整することをさらに備える、請求項９に記載の方法。
【請求項１１】
前記ＰＭＣＨ帯域幅または前記ＰＭＣＨロケーションのうちの少なくとも１つを指示することは、制御チャネルにおいて前記ＰＭＣＨ帯域幅または前記ＰＭＣＨロケーションのうちの前記少なくとも１つを指示することをさらに備える、請求項８に記載の方法。
【請求項１２】
前記キャリアを生成することは、第１のサイクリックプレフィックス(ＣＰ)および第１のトーン間隔を有する物理マルチキャストチャネル(ＰＭＣＨ)において前記ブロードキャストデータを提供することと、各ＭＢＳＦＮサブフレームの各非ＭＢＭＳリソースに第２のＣＰおよび第２のトーン間隔を提供することをさらに備え、前記第１のＣＰおよび前記第２のＣＰは、同じＣＰ値を備え、前記第１のトーン間隔および前記第２のトーン間隔は、同じトーン間隔値を備える、請求項５に記載の方法。
【請求項１３】
少なくとも１つのユーザ機器のための１セットのサブフレームに関するサイクリックプレフィックス(ＣＰ)タイプおよびトーン間隔のうちの少なくとも１つを指示することをさらに備え、前記ＣＰタイプおよび前記トーン間隔のうちの前記指示された少なくとも１つは、前記セットのサブフレームに属していないサブフレームのものとは異なる、請求項１に記載の方法。
【請求項１４】
第１のサブフレームにおいて前記ブロードキャストデータのための第１の帯域幅を決定することと、第２のサブフレームにおいて前記ブロードキャストデータのための、前記第１の帯域幅とは異なる第２の帯域幅を決定することをさらに備える、請求項１に記載の方法。
【請求項１５】
前記キャリアを生成することは、第１のサイクリックプレフィックス(ＣＰ)および第１のトーン間隔を有する物理マルチキャストチャネル(ＰＭＣＨ)において前記ブロードキャストデータを提供することと、各ＭＢＳＦＮサブフレームの各非ＭＢＭＳリソースに第２のＣＰおよび第２のトーン間隔を提供することをさらに備え、前記第１のＣＰおよび前記第２のＣＰが異なるＣＰ値を備えるか、前記第１のトーン間隔および前記第２のトーン間隔が異なるトーン間隔値を備えるか、または両方の組合せである、請求項５に記載の方法。
【請求項１６】
前記キャリアを生成することは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むことをさらに備え、少なくとも１つのＭＢＳＦＮサブフレームは、前記少なくとも１つのＭＢＳＦＮサブフレームの時間ドメインにわたってマルチメディアブロードキャストマルチキャストサービス(ＭＢＭＳ)リソースと非ＭＢＭＳリソースとの両方を備え、制御情報を提供することは、前記制御情報を前記非ＭＢＭＳリソース内に配置することをさらに備える、請求項１に記載の方法。
【請求項１７】
前記ＭＢＭＳリソースと前記非ＭＢＭＳリソースとの両方を含む前記少なくとも１つのＭＢＳＦＮサブフレームを生成することは、前記少なくとも１つのＭＢＳＦＮサブフレームが共通基準信号(ＣＲＳ)または復調基準信号(ＤＭ−ＲＳ)をさらに含む場合に生成することをさらに備える、請求項１６に記載の方法。
【請求項１８】
前記キャリアを生成することは、各ＭＢＭＳリソースによって定義された物理マルチキャストチャネル(ＰＭＣＨ)において前記ブロードキャストデータを提供することと、ここで前記ＰＭＣＨは、第１のサイクリックプレフィックス(ＣＰ)および第１のトーン間隔を有し、各対応する非ＭＢＭＳリソースに第２のＣＰおよび第２のトーン間隔を提供することをさらに備え、前記第１のＣＰおよび前記第２のＣＰ、または前記第１のトーン間隔および前記第２のトーン間隔のうちの少なくとも１つは、異なる値を備える、請求項１６に記載の方法。
【請求項１９】
前記キャリアタイプの前記キャリアを生成することは、拡張キャリアを生成することを備える、請求項１に記載の方法。
【請求項２０】
ワイヤレス通信システムでのマルチメディアブロードキャストサービスをサポートする装置であって、
少なくとも１つのプロセッサと、
前記少なくとも１つのプロセッサに結合されるメモリと、
を備え、
前記少なくとも１つのプロセッサは、
ブロードキャストデータおよびユニキャストデータを含むデータトラフィックを搬送できるキャリアを生成することと、ここにおいて前記キャリアは、既存のキャリアと後方互換性のないもので、共通基準信号がユニキャストデータを含む１つまたは複数のサブフレーム内に含まれないキャリアタイプを備える、
前記キャリアにおける複数のサブフレームのうちの少なくとも１つのサブフレームにおいて前記ブロードキャストデータを搬送することと、
前記少なくとも１つのサブフレームに含まれる前記ユニキャストデータに少なくとも関する制御情報を前記キャリアにおいて提供することと、
前記キャリアを送信すること
を行うように構成される、装置。
【請求項２１】
前記キャリアを生成するように構成された前記少なくとも１つのプロセッサは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むようにさらに構成され、各ＭＢＳＦＮサブフレームは、マルチメディアブロードキャストマルチキャストサービス(ＭＢＭＳ)リソースまたは非ＭＢＭＳリソースの両方ではない少なくとも１つを備える、請求項２０に記載の装置。
【請求項２２】
制御情報を提供するように構成された前記少なくとも１つのプロセッサは、クロスサブフレーム、マルチサブフレーム、またはクロスキャリアアップリンク(ＵＬ)スケジューリング情報を提供するようにさらに構成される、請求項２１に記載の装置。
【請求項２３】
前記少なくとも１つのプロセッサは、マルチメディアブロードキャストマルチキャストサービス(ＭＢＭＳ)のための制御チャネルを介して、マルチキャスト制御チャネル変更通知メッセージを送信するようにさらに構成される、請求項２０に記載の装置。
【請求項２４】
前記キャリアを生成するように構成された前記少なくとも１つのプロセッサは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むようにさらに構成され、各ＭＢＳＦＮサブフレームは、前記ＭＢＳＦＮサブフレームの周波数ドメインにわたってマルチメディアブロードキャストマルチキャストサービス(ＭＢＭＳ)リソースと非ＭＢＭＳリソースとの両方を備え、制御情報を提供することは、前記制御情報を前記非ＭＢＭＳリソース内に配置することをさらに備える、請求項２０に記載の装置。
【請求項２５】
前記非ＭＢＭＳリソースを各々有する前記複数のＭＢＳＦＮサブフレームを含む前記キャリアを生成するように構成された前記少なくとも１つのプロセッサは、各該当のＭＢＳＦＮサブフレーム内の前記非ＭＢＭＳリソースをローカライズするか、各該当のＭＢＳＦＮサブフレーム内の前記非ＭＢＭＳリソースを分散するか、または両方の組合せを行うようにさらに構成される、請求項２４に記載の装置。
【請求項２６】
前記非ＭＢＭＳリソースおよび前記ＭＢＭＳリソースを各々有する前記複数のＭＢＳＦＮサブフレームを含む前記キャリアを生成するように構成された前記少なくとも１つのプロセッサは、前記非ＭＢＭＳリソースと前記ＭＢＭＳリソースとの間にガードバンドを含むようにさらに構成される、請求項２４に記載の装置。
【請求項２７】
前記キャリアを生成するように構成された前記少なくとも１つのプロセッサは、物理マルチキャストチャネル(ＰＭＣＨ)において前記ブロードキャストデータを提供するようにさらに構成され、制御情報を提供するように構成された前記少なくとも１つのプロセッサは、ＰＭＣＨ帯域幅またはＰＭＣＨロケーションのうちの少なくとも１つを指示するようにさらに構成される、請求項２４に記載の装置。
【請求項２８】
前記ＰＭＣＨにおいて前記ブロードキャストデータを提供するように構成された前記少なくとも１つのプロセッサは、固定されたロケーション、準静的なロケーション、または動的なロケーションのうちの１つにおいて、前記ＰＭＣＨを各該当のＭＢＳＦＮサブフレーム内に配置するようにさらに構成される、請求項２７に記載の装置。
【請求項２９】
前記少なくとも１つのプロセッサは、各ＰＭＣＨの前記準静的なロケーションおよび前記動的なロケーションをサブフレームごとにバックホールシグナリングを介して調整するようにさらに構成される、請求項２８に記載の装置。
【請求項３０】
前記ＰＭＣＨ帯域幅または前記ＰＭＣＨロケーションのうちの少なくとも１つを指示するように構成された前記少なくとも１つのプロセッサは、制御チャネルにおいて前記ＰＭＣＨ帯域幅または前記ＰＭＣＨロケーションのうちの前記少なくとも１つを指示するようにさらに構成される、請求項２７に記載の装置。
【請求項３１】
前記キャリアを生成するように構成された前記少なくとも１つのプロセッサは、第１のサイクリックプレフィックス(ＣＰ)および第１のトーン間隔を有する物理マルチキャストチャネル(ＰＭＣＨ)において前記ブロードキャストデータを提供し、各ＭＢＳＦＮサブフレームの各非ＭＢＭＳリソースに第２のＣＰおよび第２のトーン間隔を提供するようにさらに構成され、前記第１のＣＰおよび前記第２のＣＰは、同じＣＰ値を備え、前記第１のトーン間隔および前記第２のトーン間隔は、同じトーン間隔値を備える、請求項２４に記載の装置。
【請求項３２】
前記少なくとも１つのプロセッサは、少なくとも１つのユーザ機器のための１セットのサブフレームに関するサイクリックプレフィックス(ＣＰ)タイプおよびトーン間隔のうちの少なくとも１つを指示するようにさらに構成され、前記ＣＰタイプおよび前記トーン間隔のうちの前記指示された少なくとも１つは、前記セットのサブフレームに属していないサブフレームのものとは異なる、請求項２０に記載の装置。
【請求項３３】
前記少なくとも１つのプロセッサは、第１のサブフレームにおいて前記ブロードキャストデータのための第１の帯域幅を決定し、第２のサブフレームにおいて前記ブロードキャストデータのための、前記第１の帯域幅とは異なる第２の帯域幅を決定するようにさらに構成される、請求項２０に記載の装置。
【請求項３４】
前記キャリアを生成するように構成された前記少なくとも１つのプロセッサは、第１のサイクリックプレフィックス(ＣＰ)および第１のトーン間隔を有する物理マルチキャストチャネル(ＰＭＣＨ)において前記ブロードキャストデータを提供し、各ＭＢＳＦＮサブフレームの各非ＭＢＭＳリソースに第２のＣＰおよび第２のトーン間隔を提供するようにさらに構成され、前記第１のＣＰおよび前記第２のＣＰが異なるＣＰ値を備えるか、前記第１のトーン間隔および前記第２のトーン間隔が異なるトーン間隔値を備えるか、または両方の組合せである、請求項２４に記載の装置。
【請求項３５】
前記キャリアを生成するように構成された前記少なくとも１つのプロセッサは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むようにさらに構成され、少なくとも１つのＭＢＳＦＮサブフレームは、前記少なくとも１つのＭＢＳＦＮサブフレームの時間ドメインにわたってマルチメディアブロードキャストマルチキャストサービス(ＭＢＭＳ)リソースと非ＭＢＭＳリソースとの両方を備え、制御情報を提供するように構成された前記少なくとも１つのプロセッサは、前記制御情報を前記非ＭＢＭＳリソース内に配置するようにさらに構成される、請求項２０に記載の装置。
【請求項３６】
前記ＭＢＭＳリソースと前記非ＭＢＭＳリソースとの両方を含む前記少なくとも１つのＭＢＳＦＮサブフレームを生成するように構成された前記少なくとも１つのプロセッサは、前記少なくとも１つのＭＢＳＦＮサブフレームが共通基準信号(ＣＲＳ)または復調基準信号(ＤＭ−ＲＳ)を含む場合に生成するようにさらに構成される、請求項３５に記載の装置。
【請求項３７】
前記キャリアを生成するように構成された前記少なくとも１つのプロセッサは、各ＭＢＭＳリソースによって定義された物理マルチキャストチャネル(ＰＭＣＨ)において前記ブロードキャストデータを提供し、ここで、前記ＰＭＣＨは、第１のサイクリックプレフィックス(ＣＰ)および第１のトーン間隔を有し、各対応する非ＭＢＭＳリソースに第２のＣＰおよび第２のトーン間隔を提供するようにさらに構成され、前記第１のＣＰおよび前記第２のＣＰ、または前記第１のトーン間隔および前記第２のトーン間隔のうちの少なくとも１つは、異なる値を備える、請求項３５に記載の装置。
【請求項３８】
前記キャリアタイプの前記キャリアを生成するように構成された前記少なくとも１つのプロセッサは、後方互換性のあるキャリアと関連付けられた拡張キャリアを生成するようにさらに構成される、請求項２０に記載の装置。
【請求項３９】
ワイヤレス通信システムでのマルチメディアブロードキャストサービスをサポートするためにプロセッサによって実行可能なコンピュータプログラムであって、
ブロードキャストデータおよびユニキャストデータを含むデータトラフィックを搬送できるキャリアを生成することと、ここにおいて前記キャリアは、既存のキャリアと後方互換性のないもので、共通基準信号がユニキャストデータを含む１つまたは複数のサブフレーム内に含まれないキャリアタイプを備える、
前記キャリアにおける複数のサブフレームのうちの少なくとも１つのサブフレームにおいて前記ブロードキャストデータを搬送することと、
前記少なくとも１つのサブフレームに含まれる前記ユニキャストデータに少なくとも関する制御情報を前記キャリアにおいて提供することと、
前記キャリアを送信すること
を行うためのコードを備える、コンピュータプログラム。
【請求項４０】
前記キャリアを生成するための前記コードは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むためのコードをさらに備え、各ＭＢＳＦＮサブフレームは、マルチメディアブロードキャストマルチキャストサービス(ＭＢＭＳ)リソースまたは非ＭＢＭＳリソースの両方ではない少なくとも１つを備える、請求項３９に記載のコンピュータプログラム。
【請求項４１】
制御情報を提供するための前記コードは、クロスサブフレーム、マルチサブフレーム、またはクロスキャリアアップリンク(ＵＬ)スケジューリング情報を提供するためのコードをさらに備える、請求項４０に記載のコンピュータプログラム。
【請求項４２】
マルチメディアブロードキャストマルチキャストサービス(ＭＢＭＳ)のための制御チャネルを介して、マルチキャスト制御チャネル変更通知メッセージを送信するためのコードをさらに備える、請求項３９に記載のコンピュータプログラム。
【請求項４３】
前記キャリアを生成するための前記コードは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むためのコードをさらに備え、各ＭＢＳＦＮサブフレームは、前記ＭＢＳＦＮサブフレームの周波数ドメインにわたってマルチメディアブロードキャストマルチキャストサービス(ＭＢＭＳ)リソースと非ＭＢＭＳリソースとの両方を備え、制御情報を提供するためのコードは、前記制御情報を前記非ＭＢＭＳリソース内に配置するためのコードをさらに備える、請求項３９に記載のコンピュータプログラム。
【請求項４４】
前記非ＭＢＭＳリソースを各々有する前記複数のＭＢＳＦＮサブフレームを含む前記キャリアを生成するための前記コードは、各該当のＭＢＳＦＮサブフレーム内の前記非ＭＢＭＳリソースをローカライズするためのコードか、各該当のＭＢＳＦＮサブフレーム内の前記非ＭＢＭＳリソースを分散するためのコードか、または両方の組合せをさらに備える、請求項４３に記載のコンピュータプログラム。
【請求項４５】
前記非ＭＢＭＳリソースおよび前記ＭＢＭＳリソースを各々有する前記複数のＭＢＳＦＮサブフレームを含む前記キャリアを生成するための前記コードは、前記非ＭＢＭＳリソースと前記ＭＢＭＳリソースとの間にガードバンドを含むためのコードをさらに備える、請求項４３に記載のコンピュータプログラム。
【請求項４６】
前記キャリアを生成するための前記コードは、物理マルチキャストチャネル(ＰＭＣＨ)において前記ブロードキャストデータを提供するためのコードをさらに備え、制御情報を提供するためのコードは、ＰＭＣＨ帯域幅またはＰＭＣＨロケーションのうちの少なくとも１つを指示するためのコードをさらに備える、請求項４３に記載のコンピュータプログラム。
【請求項４７】
前記ＰＭＣＨにおいて前記ブロードキャストデータを提供するための前記コードは、固定されたロケーション、準静的なロケーション、または動的なロケーションのうちの１つにおいて、前記ＰＭＣＨを各該当のＭＢＳＦＮサブフレーム内に配置するためのコードをさらに備える、請求項４６に記載のコンピュータプログラム。
【請求項４８】
各ＰＭＣＨの前記準静的なロケーションおよび前記動的なロケーションをサブフレームごとにバックホールシグナリングを介して調整するためのコードをさらに備える、請求項４７に記載のコンピュータプログラム。
【請求項４９】
前記ＰＭＣＨ帯域幅または前記ＰＭＣＨロケーションのうちの少なくとも１つを指示するための前記コードは、制御チャネルにおいて前記ＰＭＣＨ帯域幅または前記ＰＭＣＨロケーションのうちの前記少なくとも１つを指示するためのコードをさらに備える、請求項４６に記載のコンピュータプログラム。
【請求項５０】
前記キャリアを生成するための前記コードは、第１のサイクリックプレフィックス(ＣＰ)および第１のトーン間隔を有する物理マルチキャストチャネル(ＰＭＣＨ)において前記ブロードキャストデータを提供するためのコードと、各ＭＢＳＦＮサブフレームの各非ＭＢＭＳリソースに第２のＣＰおよび第２のトーン間隔を提供するためのコードをさらに備え、前記第１のＣＰおよび前記第２のＣＰは、同じＣＰ値を備え、前記第１のトーン間隔および前記第２のトーン間隔は、同じトーン間隔値を備える、請求項４３に記載のコンピュータプログラム。
【請求項５１】
少なくとも１つのユーザ機器のための１セットのサブフレームに関するサイクリックプレフィックス(ＣＰ)タイプおよびトーン間隔のうちの少なくとも１つを指示するためのコードをさらに備え、前記ＣＰタイプおよび前記トーン間隔のうちの前記指示された少なくとも１つは、前記セットのサブフレームに属していないサブフレームのものとは異なる、請求項３９に記載のコンピュータプログラム。
【請求項５２】
第１のサブフレームにおいて前記ブロードキャストデータのための第１の帯域幅を決定し、第２のサブフレームにおいて前記ブロードキャストデータのための、前記第１の帯域幅とは異なる第２の帯域幅を決定するためのコードをさらに備える、請求項３９に記載のコンピュータプログラム。
【請求項５３】
前記キャリアを生成するための前記コードは、第１のサイクリックプレフィックス(ＣＰ)および第１のトーン間隔を有する物理マルチキャストチャネル(ＰＭＣＨ)において前記ブロードキャストデータを提供するためのコードと、各ＭＢＳＦＮサブフレームの各非ＭＢＭＳリソースに第２のＣＰおよび第２のトーン間隔を提供するためのコードをさらに備え、前記第１のＣＰおよび前記第２のＣＰが異なるＣＰ値を備えるか、前記第１のトーン間隔および前記第２のトーン間隔が異なるトーン間隔値を備えるか、または両方の組合せである、請求項４３に記載のコンピュータプログラム。
【請求項５４】
前記キャリアを生成するための前記コードは、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含むためのコードをさらに備え、少なくとも１つのＭＢＳＦＮサブフレームは、前記少なくとも１つのＭＢＳＦＮサブフレームの時間ドメインにわたってマルチメディアブロードキャストマルチキャストサービス(ＭＢＭＳ)リソースと非ＭＢＭＳリソースとの両方を備え、制御情報を提供するためのコードは、前記制御情報を前記非ＭＢＭＳリソース内に配置するためのコードをさらに備える、請求項３９に記載のコンピュータプログラム。
【請求項５５】
前記ＭＢＭＳリソースと前記非ＭＢＭＳリソースとの両方を含む前記少なくとも１つのＭＢＳＦＮサブフレームを生成するための前記コードは、前記少なくとも１つのＭＢＳＦＮサブフレームが共通基準信号(ＣＲＳ)または復調基準信号(ＤＭ−ＲＳ)をさらに含む場合に生成するためのコードをさらに備える、請求項５４に記載のコンピュータプログラム。
【請求項５６】
前記キャリアを生成するためのコードは、各ＭＢＭＳリソースによって定義された物理マルチキャストチャネル(ＰＭＣＨ)において前記ブロードキャストデータを提供するためのコードと、ここで、前記ＰＭＣＨは、第１のサイクリックプレフィックス(ＣＰ)および第１のトーン間隔を有し、各対応する非ＭＢＭＳリソースに第２のＣＰおよび第２のトーン間隔を提供するためのコードをさらに備え、前記第１のＣＰおよび前記第２のＣＰ、または前記第１のトーン間隔および前記第２のトーン間隔のうちの少なくとも１つは、異なる値を備える、請求項５４に記載のコンピュータプログラム。
【請求項５７】
前記キャリアタイプの前記キャリアを生成するための前記コードは、後方互換性のあるキャリアと関連付けられた拡張キャリアを生成するためのコードをさらに備える、請求項３９に記載のコンピュータプログラム。
【請求項５８】
ワイヤレス通信システムでのマルチメディアブロードキャストサービスをサポートするための装置であって、
ブロードキャストデータおよびユニキャストデータを含むデータトラフィックを搬送できるキャリアを生成するための手段と、ここにおいて前記キャリアは、既存のキャリアと後方互換性のないもので、共通基準信号がユニキャストデータを含む１つまたは複数のサブフレーム内に含まれないキャリアタイプを備える、
前記キャリアにおける複数のサブフレームのうちの少なくとも１つのサブフレームにおいて前記ブロードキャストデータを搬送するための手段と、
前記少なくとも１つのサブフレームに含まれる前記ユニキャストデータに少なくとも関する制御情報を前記キャリアにおいて提供するための手段と、
前記キャリアを送信するための手段
を備える装置。
【請求項５９】
前記キャリアを生成するための前記手段は、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含み、各ＭＢＳＦＮサブフレームは、マルチメディアブロードキャストマルチキャストサービス(ＭＢＭＳ)リソースまたは非ＭＢＭＳリソースの両方ではない少なくとも１つを備える、請求項５８に記載の装置。
【請求項６０】
制御情報を提供するための前記手段は、クロスサブフレーム、マルチサブフレーム、またはクロスキャリアアップリンク(ＵＬ)スケジューリング情報を提供する、請求項５９に記載の装置。
【請求項６１】
送信するための前記手段は、マルチメディアブロードキャストマルチキャストサービス(ＭＢＭＳ)のための制御チャネルを介して、ＭＣＣＨ変更通知メッセージを送信する、請求項５８に記載の装置。
【請求項６２】
前記キャリアを生成するための前記手段は、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含み、各ＭＢＳＦＮサブフレームは、前記ＭＢＳＦＮサブフレームの周波数ドメインにわたってマルチメディアブロードキャストマルチキャストサービス(ＭＢＭＳ)リソースと非ＭＢＭＳリソースとの両方を備え、前記制御情報は、前記制御情報を前記非ＭＢＭＳリソース内に配置するための情報を含む、請求項５８に記載の装置。
【請求項６３】
前記キャリアを生成するための前記手段は、各該当のＭＢＳＦＮサブフレーム内の前記非ＭＢＭＳリソースをローカライズするか、各該当のＭＢＳＦＮサブフレーム内の前記非ＭＢＭＳリソースを分散するか、または両方の組合せである、請求項６２に記載の装置。
【請求項６４】
前記キャリアを生成するための前記手段は、前記非ＭＢＭＳリソースと前記ＭＢＭＳリソースとの間にガードバンドを含む、請求項６２に記載の装置。
【請求項６５】
前記キャリアを生成するための前記手段は、物理マルチキャストチャネル(ＰＭＣＨ)において前記ブロードキャストデータを提供し、前記制御情報は、ＰＭＣＨ帯域幅またはＰＭＣＨロケーションのうちの少なくとも１つを指示するための情報を含む、請求項６２に記載の装置。
【請求項６６】
前記キャリアを生成するための前記手段は、固定されたロケーション、準静的なロケーション、または動的なロケーションのうちの１つにおいて、前記ＰＭＣＨを各該当のＭＢＳＦＮサブフレーム内に配置する、請求項６５に記載の装置。
【請求項６７】
前記キャリアを生成するための前記手段は、各ＰＭＣＨの前記準静的なロケーションおよび前記動的なロケーションをサブフレームごとにバックホールシグナリングを介して調整する、請求項６６に記載の装置。
【請求項６８】
前記制御情報を提供するための手段は、制御チャネルにおいて前記ＰＭＣＨ帯域幅または前記ＰＭＣＨロケーションのうちの少なくとも１つを指示する、請求項６５に記載の装置。
【請求項６９】
前記キャリアを生成するための前記手段は、第１のサイクリックプレフィックス(ＣＰ)および第１のトーン間隔を有する物理マルチキャストチャネル(ＰＭＣＨ)において前記ブロードキャストデータを提供し、各ＭＢＳＦＮサブフレームの各非ＭＢＭＳリソースに第２のＣＰおよび第２のトーン間隔を提供し、前記第１のＣＰおよび前記第２のＣＰは、同じＣＰ値を備え、前記第１のトーン間隔および前記第２のトーン間隔は、同じトーン間隔値を備える、請求項６２に記載の装置。
【請求項７０】
前記キャリアを生成するための前記手段は、少なくとも１つのユーザ機器のための１セットのサブフレームに関するサイクリックプレフィックス(ＣＰ)タイプおよびトーン間隔のうちの少なくとも１つを指示し、前記ＣＰタイプおよび前記トーン間隔のうちの前記指示された少なくとも１つは、前記セットのサブフレームに属していないサブフレームのものとは異なる、請求項５８に記載の装置。
【請求項７１】
前記キャリアを生成するための前記手段は、第１のサブフレームにおいて前記ブロードキャストデータのための第１の帯域幅を決定し、第２のサブフレームにおいて前記ブロードキャストデータのための、前記第１の帯域幅とは異なる第２の帯域幅を決定する、請求項５８に記載の装置。
【請求項７２】
前記キャリアを生成するための前記手段は、第１のサイクリックプレフィックス(ＣＰ)および第１のトーン間隔を有する物理マルチキャストチャネル(ＰＭＣＨ)において前記ブロードキャストデータを提供し、各ＭＢＳＦＮサブフレームの各非ＭＢＭＳリソースに第２のＣＰおよび第２のトーン間隔を提供し、前記第１のＣＰおよび前記第２のＣＰが異なるＣＰ値を備えるか、前記第１のトーン間隔および前記第２のトーン間隔が異なるトーン間隔値を備えるか、または両方の組合せである、請求項６２に記載の装置。
【請求項７３】
前記キャリアを生成するための前記手段は、繰り返しインターバルでの送信のための１セットの無線フレームのうちの各無線フレーム内に複数の単一周波数ネットワーク上マルチキャスト／ブロードキャスト(ＭＢＳＦＮ)サブフレームを含み、少なくとも１つのＭＢＳＦＮサブフレームは、前記少なくとも１つのＭＢＳＦＮサブフレームの時間ドメインにわたってマルチメディアブロードキャストマルチキャストサービス(ＭＢＭＳ)リソースと非ＭＢＭＳリソースとの両方を備え、前記制御情報は、前記制御情報を前記非ＭＢＭＳリソース内に配置するための情報を含む、請求項５８に記載の装置。
【請求項７４】
生成するための前記手段は、前記ＭＢＭＳリソースと前記非ＭＢＭＳリソースとの両方を含む前記少なくとも１つのＭＢＳＦＮサブフレームを、前記少なくとも１つのＭＢＳＦＮサブフレームが共通基準信号(ＣＲＳ)または復調基準信号(ＤＭ−ＲＳ)をさらに含む場合に生成する、請求項７３に記載の装置。
【請求項７５】
前記キャリアを生成するための前記手段は、各ＭＢＭＳリソースによって定義された物理マルチキャストチャネル(ＰＭＣＨ)において前記ブロードキャストデータを提供し、ここで、前記ＰＭＣＨは、第１のサイクリックプレフィックス(ＣＰ)および第１のトーン間隔を有し、各対応する非ＭＢＭＳリソースに第２のＣＰおよび第２のトーン間隔を提供し、前記第１のＣＰおよび前記第２のＣＰ、または前記第１のトーン間隔および前記第２のトーン間隔のうちの少なくとも１つは、異なる値を備える、請求項７３に記載の装置。
【請求項７６】
前記キャリアを生成するための手段は、後方互換性のあるキャリアと関連付けられた拡張キャリアを生成する、請求項５８に記載の装置。